(57)【要約】ネットワークは、複数の基地局（１４）に、該ネットワークを介してＲＦ接続された、または光学的に接続された複数のアンテナ（１２）を有する。該基地局は、セルラー伝送を供給するように構成される。該複数の基地局の少なくとも一部は共通の場所（３４）にあり、および該アンテナの少なくとも一部は、地理的に分散される。複数のリンク（１６）は、該複数のアンテナと該複数の基地局とを接続する。少なくとも１のリンクは、該アンテナの少なくとも一部と該基地局の少なくとも一部との間に多重伝送パスを供給する。
2004537888.tif 000002
【特許請求の範囲】
【請求項１】
ネットワークを介して複数の基地局にＲＦ接続された、または光学的に接続された複数のアンテナであって、該基地局は、セルラー通信を供給するように構成されており、該複数の基地局の少なくとも一部は共通の場所にあり、および該アンテナの少なくとも一部は地理的に分散されている該複数のアンテナと；および
該複数のアンテナと該複数の基地局を接続する複数のリンクであって、該複数のリンクの少なくとも１のリンクは、該アンテナの少なくとも一部と該基地局の少なくとも一部との間に多重伝送パスを供給する該複数のリンクと
を含むネットワーク。
【請求項２】
該複数のリンクの少なくとも一部は、該複数の基地局の少なくとも一部にキャパシティの選択可能な割り当てを供給するように構成されることを特徴とする、請求項１に記載のネットワーク。
【請求項３】
請求項１に記載のネットワークであって：
該複数の基地局の少なくとも一部にキャパシティの選択可能な割り当てを供給するように構成された制御変換システム
をさらに含むことを特徴とする前記ネットワーク。
【請求項４】
ネットワークを介して複数の基地局に光学的に接続された、またはＲＦ接続された複数のアンテナであって、前記基地局はセルラー通信を供給するように構成されている該複数のアンテナと；および
該複数のアンテナと該複数の基地局を接続する複数のリンクであって、該複数のリンクの少なくとも１のリンクは、該アンテナの少なくとも一部と該基地局の少なくとも一部との間に多重伝送パスを供給し；および該複数のリンクの少なくとも１のリンクは、異なる伝送パス上の少なくとも２のオペレータによって共有される該複数のリンクと
を含むネットワーク。
【請求項５】
該少なくとも２のオペレータは、少なくとも２のワイヤレスオペレータであることを特徴とする、請求項４に記載のネットワーク。
【請求項６】
該少なくとも２のオペレータは、同じセルラーオペレータによって使用される異なるスペクトル帯域であることを特徴とする、請求項４に記載のネットワーク。
【請求項７】
該リンクは、マイクロ波リンクであり、および該伝送パスは異なるＲＦ周波数チャネルであることを特徴とする、請求項４に記載のネットワーク。
【請求項８】
該ネットワークは、本来の設置場所にある基地局に接続された存在するオペレータ設置場所に他のオペレータアンテナを配置するために、存在するオペレータ設置場所を接続し、および利用するように構築されていることを特徴とする、請求項４に記載のネットワーク。
【請求項９】
ネットワークを介して複数の基地局に接続されている複数のアンテナであって、該基地局はセルラー信号を表す伝送を供給するように構成されている該複数のアンテナと；および
該複数のアンテナと該複数の基地局とを接続する複数のリンクであって、該複数のリンクの少なくとも１のリンクは、該アンテナの少なくとも一部と該基地局の少なくとも一部との間に多重伝送パスを供給する該複数のリンクを含み、
該複数の基地局およびアンテナの少なくとも一部は、異なるオペレータに属することを特徴とする
ネットワーク。
【請求項１０】
ネットワークを介して複数の基地局に光学的に接続された複数のアンテナであって、該基地局はセルラー通信を供給するように構成されている該複数のアンテナと；および
該複数のアンテナと該複数の基地局とを接続する複数の光ファイバリンクであって、該複数のリンクの少なくとも１のリンクは、該アンテナの少なくとも一部と該基地局の少なくとも一部との間に少なくとも２の光波長を介して多重伝送パスを供給する該複数の光ファイバリンクを含み、異なるオペレータが異なる光波長を採用することを特徴とする
ネットワーク。
【請求項１１】
ネットワークを介して複数の基地局に光学的に接続された複数のアンテナであって、該基地局はセルラー通信を供給するように構成されている該複数のアンテナと；および
該複数のアンテナと該複数の基地局とを接続する複数の光ファイバリンクであって、該複数のリンクの少なくとも１のリンクは、該アンテナの少なくとも一部と該基地局の少なくとも一部の間に多重伝送パスを供給し、該複数のリンクは、多重伝送パスを形成する複数のファイバストランドを伴う少なくとも１のファイバケーブルを含む該複数の光ファイバリンクを含み、該複数のリンクの少なくとも１のリンクは、少なくとも２のオペレータによって共有されることを特徴とするネットワーク。
【請求項１２】
ネットワークを介して複数の基地局に光学的に接続された、またはＲＦ接続された複数のアンテナであって、該アンテナと基地局とは、セルラー信号を表すデジタル信号を送信し、かつ受信するように構成され、および該デジタル信号は該ネットワークを介して交換される該複数のアンテナと；および
該複数のアンテナと該複数の基地局とを接続する複数のリンクであって、該複数のリンクの少なくとも１のリンクは、該アンテナの少なくとも一部と該基地局の少なくとも一部との間に多重伝送パスを供給する該複数のリンクと
を含むネットワーク。
【請求項１３】
該光リンクは、光ファイバリンクであることを特徴とする、請求項１２に記載のネットワーク。
【請求項１４】
該複数のリンクは、少なくとも１のファイバリンクが、該複数の基地局のうちの基地局から、スイッチまたはブリッジネットワークへ、少なくとも１のバックホール信号を搬送することを定めるように構成されることを特徴とする、請求項１３に記載のネットワーク。
【請求項１５】
該リンクの少なくとも１は、該多重伝送パスの少なくとも一部を作るために、少なくとも２の光波長を伝送するように構成されることを特徴とする、請求項１３に記載のネットワーク。
【請求項１６】
該複数のリンクは、少なくとも１の光波長キャリアが、該複数の基地局のうちの基地局から、スイッチまたはブリッジネットワークへ、少なくとも１のバックホール信号を搬送することを定めるように構成されることを特徴とする、請求項１５に記載のネットワーク。
【請求項１７】
該光リンクは、自由空間光リンクであることを特徴とする、請求項１２に記載のネットワーク。
【請求項１８】
該リンクの少なくとも１は、該多重伝送パスの少なくとも一部を作るために、少なくとも２の光波長を伝送するように構成されることを特徴とする、請求項１７に記載のネットワーク。
【請求項１９】
該リンクの少なくとも１は、該多重伝送パスの少なくとも一部を作るために、時分割多重方式を使用するように構成されることを特徴とする、請求項１２に記載のネットワーク。
【請求項２０】
該複数のリンクは、少なくとも１のＴＤＭチャネルキャリアが、該複数の基地局のうちの基地局から、スイッチまたはブリッジネットワークへ、少なくとも１のバックホール信号を搬送することを定めるように構成されることを特徴とする、請求項１９に記載のネットワーク。
【請求項２１】
波長分割多重方式および時分割多重方式を組み合わせて、該多重伝送パスの少なくとも一部を作ることを特徴とする、請求項１２に記載のネットワーク。
【請求項２２】
請求項１２に記載のネットワークであって、さらに：
該デジタル信号を生成する該複数のアンテナおよび基地局に接続された複数のデジタルトランシーバ
を含む、前記ネットワーク。
【請求項２３】
デジタルトランシーバの少なくとも１は、基地局に配置され、およびワイヤレススペクトル帯域を表す該基地局によって生成されるダウンリンクアナログセルラー信号をデジタル化し、かつそれを、該ネットワークを介して１またはそれ以上のアンテナに伝送することを特徴とする、請求項２２に記載のネットワーク。
【請求項２４】
該基地局における該デジタルトランシーバは、該ネットワークを介して、アンテナからのワイヤレススペクトル帯域を表すアップリンク信号を受信し、かつ該基地局に送るための該アナログセルラー信号を再構築することを特徴とする、請求項２３に記載のネットワーク。
【請求項２５】
アンテナにおけるデジタルトランシーバは、該アンテナから受信されるアップリンクセルラー信号をデジタル化し、およびデジタル信号を、該ネットワークを介して１またはそれ以上の基地局に伝送することを特徴とする、請求項２４に記載のネットワーク。
【請求項２６】
該アンテナに配置された該デジタルトランシーバは、該ネットワークを介して基地局からのダウンリンクワイヤレススペクトル帯域を表すデジタル信号を受信し、および１またはそれ以上の移動体ワイヤレスユニットに伝送するための該ダウンリンクアナログ信号を再構築することを特徴とする、請求項２５に記載のネットワーク。
【請求項２７】
複数の遠隔ユニットおよび複数の基地ユニットであって、遠隔ユニットの各々は、基地局の機能の少なくとも一部を有する放射ユニットである該複数の遠隔ユニットおよび該複数の基地ユニットと；および
該複数の遠隔ユニットと該複数の基地ユニットとを接続する複数のリンクであって、該複数のリンクの少なくとも１のリンクは、該複数の遠隔ユニットの少なくとも一部と該基地ユニットの少なくとも一部との間に多重伝送パスを供給する該複数のリンクと
を含むネットワーク。
【請求項２８】
該複数のリンクは、複数のＲＦリンクであり、および該伝送パスは、異なる周波数ＲＦキャリアを採用することを特徴とする、請求項２７に記載のネットワーク。
【請求項２９】
ネットワークを介して複数の基地局に光学的に接続された複数のアンテナであって、該基地局はセルラー通信を供給するように構成されている該複数のアンテナと；および
該複数のアンテナと該複数の基地局とを接続する複数のリンクであって、該複数のリンクの少なくとも１のリンクは、該アンテナの少なくとも一部と該基地局の少なくとも一部との間に多重伝送パスを供給し、該複数のリンクの少なくとも一部は固定光パスであり、固定光パスの各々は、１またはそれ以上の基地局と、１またはそれ以上のアンテナとの間にあり、該リンクを介したビットレートのそれよりもずっと遅い時間スケールでリルーティングされるので、仮想回路として互いにノードを接続する、静的な光リンクであることを特徴とする該複数のリンクと
を含むネットワーク。
【請求項３０】
ギガビットイーサネット、ファイバチャネル、ＳＯＮＥＴ、Ｔ−キャリア、ＡＴＭまたはＴＣＰが該固定光パスを介して採用されることを特徴とする、請求項２９に記載のネットワーク。
【請求項３１】
複数のアンテナを複数の基地局と接続する複数の光リンクを含むネットワークを供給し；
該アンテナの少なくとも一部と該基地局の少なくとも一部との間に光ＤＷＤＭを用いて少なくとも１のリンクを伴う多重伝送パスを供給し；および
該多重伝送パスを介して信号をデジタルコード化する
ことを含む、伝送方法。
【請求項３２】
該複数のリンクの少なくとも一部は、複数の固定光パスを含み、固定光パスの各々は、１またはそれ以上の基地局と１またはそれ以上のアンテナとの間にあり、該リンクを介したビットレートよりもずっと遅い時間スケールでリルーティングされるので、仮想回路として互いにノードを接続する、静的光リンクであることを特徴とする、請求項３１に記載の方法。
【請求項３３】
ギガビットイーサネット、ファイバチャネル、ＳＯＮＥＴ、Ｔ−キャリア、ＡＴＭ、またはＴＣＰは、該固定光パスを介して採用されることを特徴とする、請求項３２に記載の方法。
【請求項３４】
複数のアンテナを複数の基地局と接続する複数のリンクを含むネットワークを供給し；
該アンテナの少なくとも一部と該基地局の少なくとも一部との間に多重伝送パスを供給し；および
該多重伝送パスを介して信号をデジタルコード化する
ことを含む、伝送方法。
【請求項３５】
デジタル信号は、伝送前に直列にされ、および伝送後に変換されて並列信号に戻されることを特徴とする、請求項３４に記載の方法。
【請求項３６】
ルーティングプロトコルは、１グループの基地局および遠隔アンテナノードのためのキャパシティを最適化するための信号をルーティングするため、トラヒックデータと結合されることを特徴とする、請求項３４に記載の方法。
【請求項３７】
該複数の伝送パスを介して信号をデジタル伝送することは、該多重伝送パスの間のクロストークの影響を低減することを特徴とする、請求項３４に記載の方法。
【請求項３８】
ＴＤＭは、多重の区別できるセル信号をあるノードから別のノードに搬送するために採用され、該多重信号のすべては起点ノードにおいて一緒に多重化され、該多重化された信号はそれから終点ノードに送られ、それから該多重信号は終点ノードにおいて逆多重化されることを特徴とする、請求項３４に記載の方法。
【請求項３９】
該ネットワークを介して交換される該セルラー信号は、アナログ信号であることを特徴とする、請求項１に記載のネットワーク。
【請求項４０】
該複数のリンクは、周波数分割多重方式によって多重伝送パスを供給するように構成されることを特徴とする、請求項１に記載のネットワーク。
【請求項４１】
該複数のリンクの少なくとも一部は、複数の受動光素子を含むことを特徴とする、請求項１に記載のネットワーク。
【請求項４２】
該複数のリンクの少なくとも一部は、１またはそれ以上の能動光スイッチ素子を含むことを特徴とする、請求項１に記載のネットワーク。
【請求項４３】
該光ネットワークは、ハブアンドスポークネットワークとして構成され、該複数の基地局は共通ノードに配置され、および該複数のアンテナは、該ネットワーク上の異なる遠隔ノードに配置されることを特徴とする、請求項２９に記載のネットワーク。
【請求項４４】
該複数の伝送パスは、第１の方向に移動するアップリンク伝送と、反対の第二の方向に移動するダウンリンク伝送を供給するように構成されることを特徴とする、請求項１に記載のネットワーク。
【請求項４５】
該多重伝送パスの少なくとも一部は、ダイナミックルータブル光パスであることを特徴とする、請求項１に記載のネットワーク。
【請求項４６】
該複数のリンクは、少なくとも１の光リンクが、該複数の基地局のうちの基地局から、スイッチまたはブリッジネットワークへ、少なくとも１のバックホール信号を搬送することを定めるように構成されることを特徴とする、請求項１に記載のネットワーク。
【請求項４７】
該複数の基地局のバックホール信号は、該ネットワークによって搬送される単一のより高いビットレートのバックホール信号へと統合されることを特徴とする、請求項４６に記載のネットワーク。
【請求項４８】
非バックホールＲＦ信号は、デジタルバックホール信号とのクロストークの影響を最小限にするために、該バックホール信号からの大きな波長分離を有することを特徴とする、請求項４６に記載のネットワーク。
【請求項４９】
該複数のリンクは、該複数の基地局のうちの１またはそれ以上の基地局から、スイッチまたはブリッジネットワークへ、少なくとも１のＲＦリンク上で周波数分割多重化される１またはそれ以上のバックホール信号を搬送するように構成されることを特徴とする、請求項７に記載のネットワーク。
【請求項５０】
該複数の基地局のバックホール信号は、該ネットワークによって搬送される単一のより高いビットレートのバックホール信号へと統合されることを特徴とする、請求項４９に記載のネットワーク。
【請求項５１】
ネットワークを介して複数の基地局に光学的に接続される複数のアンテナであって、該基地局はセルラー伝送を供給するように構成されている該複数のアンテナと；および
該複数のアンテナと該複数の基地局とを接続する複数の自由空間光リンクであって、該複数のリンクの少なくとも１のリンクは、該アンテナの少なくとも一部と該基地局の少なくとも一部との間に少なくとも２の光波長を介して多重伝送パスを供給する該複数の自由空間光リンクと
を含むネットワーク。
【請求項５２】
該ネットワークを介して交換される該セルラー信号はアナログ信号であることを特徴とする、請求項５１に記載のネットワーク。
【請求項５３】
付加的伝送パスは、多重信号を同じ光キャリアへ周波数分割多重化して作られることを特徴とする、請求項５２に記載のネットワーク。
【請求項５４】
該複数のリンクは、該複数の基地局のうちの基地局から、スイッチまたはブリッジネットワークへ、少なくとも１の光キャリアでのサブキャリアとして周波数分割多重化されたバックホール信号を供給するように構成されることを特徴とする、請求項５２に記載のネットワーク。
【請求項５５】
複数のアンテナを、複数の基地局と接続する複数の光リンクを伴うネットワークを供給し；および
該アンテナの少なくとも一部と該基地局の少なくとも一部との間に光ＤＷＤＭを用いて該複数のリンクの少なくとも１のリンクを伴う多重伝送パスを供給すること
を含む伝送方法であって；および
該ＤＷＤＭ波長キャリアは、該複数の基地局と該複数のアンテナとの間でＲＦ信号を表すアナログ信号を搬送することを特徴とする該伝送方法。
【請求項５６】
請求項５５に記載の方法であって、さらに：
該ネットワークによって搬送されているセルラー信号に対する、光キャリアの間の線形および非線形クロストークの影響を最小限にするように十分広い波長間隔で光キャリアを供給することをさらに含む前記ネットワーク。
【請求項５７】
該多重伝送パスは、異なるセルラー信号を同じ光キャリアへ周波数分割多重化することによって光リンク上に作られることを特徴とする、請求項５５に記載の方法。
【請求項５８】
複数のアンテナを複数の基地局と接続する複数のリンクを伴うネットワークを供給するステップであって、少なくとも１の基地局またはアンテナ場所は、該ネットワークから地理的に離れており、および自由空間リンクで該ネットワークと接続されている該ステップと；および
該アンテナの少なくとも一部と該基地局の少なくとも一部との間に多重伝送パスを供給するステップと
を含む伝送方法。
【請求項５９】
該自由空間リンクはＲＦリンクであることを特徴とする、請求項５８に記載の方法。
【請求項６０】
該自由空間リンクは光リンクであることを特徴とする、請求項５８に記載の方法。
【請求項６１】
請求項５８に記載の方法であって、さらに：
多重セルラー信号を該自由空間リンクへと周波数分割多重化することをさらに含む前記方法。
【請求項６２】
請求項５８に記載の方法であって、さらに：
該セルラー信号を表すデジタル信号を、該自由空間リンクを介して送ることをさらに含む前記方法。
【請求項６３】
該デジタル信号は、ワイヤレス帯域をデジタル化することによって生成されることを特徴とする、請求項６２に記載の方法。
【請求項６４】
該デジタル信号は、ＳＯＮＥＴ、ギガビットイーサネット、ファイバチャネル、ＴＣＰ、およびＴ−キャリアから選択されるフォーマットで配置されることを特徴とする、請求項６２に記載の方法。
【請求項６５】
該デジタル信号は、それをアナログ信号に変換して戻すことなく、該ネットワークへと多重化されることを特徴とする、請求項６２に記載の方法。
【請求項６６】
複数の受信または送信／受信ポートを有する基地局から遠隔的に配置され、および該基地局に接続される複数のアンテナであって、該複数のアンテナは該複数の受信ポートと同じ数の複数のグループに分割され、該複数のアンテナの各グループ分けからのアップリンク信号は、信号結合によって該基地局の複数の受信ポートの１に接続されることを特徴とする該複数のアンテナと；および
遠隔的に配置された該複数のアンテナと該複数の基地局とを光学的に、または電気的に接続する複数のリンクと
を含むネットワーク。
【請求項６７】
該複数のアンテナの、該複数のグループへの各グループ分けは、高速上り信号フェージング、例えばレイリーフェージングを最小限にするように選択されることを特徴とする、請求項６６に記載のネットワーク。
【請求項６８】
該複数の受信ポートは、第１の送信／受信ポートおよび第二のダイバーシティ受信ポートを有することを特徴とする、請求項６６に記載のネットワーク。
【請求項６９】
該複数のアンテナは、物理的に、互いに線形に配列されることを特徴とする、請求項６６に記載のネットワーク。
【請求項７０】
該複数の受信ポートは、第１および第２の受信または送信／受信ポートを有し、および互いに隣接して配置されたアンテナは、異なるグループに配置され、１のグループからのアップリンク信号は該第１のポートに接続され、および他方のグループからの該アップリンク信号は該第２のポートに接続されることを特徴とする、請求項６９に記載のネットワーク。
【請求項７１】
請求項６６に記載のネットワークであって、さらに：
１グループの複数のアンテナと、該複数のアンテナのグループのための関連する受信ポートとの間に配置された少なくとも第１の信号コンバイナ
をさらに含む前記ネットワーク。
【請求項７２】
該基地局は、標準受信または送信／受信ポートおよびダイバーシティ受信ポートを有し、および該複数のアンテナは、第１および第２のグループに分割され、および各グループのアップリンクはそれぞれ、関連する基地局の各受信ポートにおいて受信される前に、少なくとも１の信号コンバイナによってそれぞれ結合されることを特徴とする、請求項７１に記載のネットワーク。
【請求項７３】
単一のＲＦ結合信号を生成するために、アップリンクで少なくとも１のＲＦ信号コンバイナへ光リンクによって接続される複数のアンテナであって、該ＲＦ結合信号は、複数の受信または送信／受信ポートを有する基地局に接続され、該複数のアンテナは、該複数の受信または送信／受信ポートと等しい数の複数のグループに分割され、該複数のアンテナの各グループ分けは、信号結合によって、該基地局の複数の受信または送信／受信ポートのうちの１に接続されることを特徴とする該複数のアンテナと；および
該複数のアンテナと該複数の基地局とを接続する複数のリンクと
を含むネットワーク。
【請求項７４】
複数の受信または送信／受信ポートを有する基地局へ光学的に接続された複数のアンテナであって、該複数のアンテナは、該複数の受信または送信／受信ポートと同じ数の複数のグループに分割され、該複数のアンテナの各グループ分けからのアップリンク信号は、信号結合によって、該基地局の複数の受信または送信／受信ポートのうちの１に接続されることを特徴とする該複数のアンテナと；
該複数のアンテナと該複数の基地局とを接続する複数のリンクとを含み；および
ダウンリンク信号によって生成される受信可能区域は、アップリンク信号によって生成される受信可能区域よりも小さく、また該受信可能区域は、異なる受信ポートに接続される遠隔ノードが、重複するダウンリンク受信可能区域よりも大きな重複アップリンク受信可能区域を有するように配列されることを特徴とする、ネットワーク。
【請求項７５】
該アンテナは、線形または格子パターンで配列され、および交互のアンテナおよび隣接するアンテナのアップリンク信号を含むグループは、異なる送信／受信または受信ポートに接続され、該重複アップリンク受信可能区域を可能にすることを特徴とする、請求項７４に記載のネットワーク。
【請求項７６】
複数の遠隔リピータユニットと、複数の受信または送信／受信ポートを有する基地局から遠隔的に配置され、または該基地局に接続されたそれらの対応するアンテナであって、該複数の遠隔リピータユニットおよびそれらの対応するアンテナは、該複数の受信ポートと同じ数の複数のグループに分割され、該複数の遠隔リピータユニットの各グループ分けからのアップリンク信号は、信号結合によって、該基地局の複数の受信ポートのうちの１に接続される該複数の遠隔リピータユニットおよび該それらの対応するアンテナと；および
該複数の遠隔的に配置された遠隔リピータユニットと、それらの対応するアンテナと、および該複数の基地局とを接続する複数のリンクと
を含むネットワーク。
【発明の詳細な説明】
【０００１】
（技術分野）
本発明は一般的にセルラー式移動体遠隔通信システムに関し、より特定的には基地局アンテナポイントを配分するための共有ネットワークおよびそれに関連する基地局トランシーバハードウェアに関する。
【０００２】
（背景技術）
セルラーネットワークは典型的には、アンテナおよび基地局を、購入されるか、または賃貸され、かつそのような設備をサポートすることができる配置場所に一緒に配置することによって配備される。図１は、典型的な屋上のセルラー配置場所を示している一方で、図２は、典型的な配備アーキテクチャを示す。該アンテナは該基地局の近く、一般的には１００フィート以内に配置され、損失の多いＲＦケーブルを用いて該基地局に接続される。
【０００３】
基地局が中心的な、またはアクセス可能な場所も配置され、それから光あるいはＲＦケーブルを用いて該基地局に遠隔アンテナが接続されるような代替的なアーキテクチャが採用されうる。そのようなアーキテクチャは、トポロジまたは移動体トラヒックパターンが適切である場所、例えば建物の中や道路上で採用される。建物内での適用においては、基地局が部屋に配置されることができ、それから建物全体が小型アンテナでカバーされ、ケーブルおよび／または光ネットワークを通して該基地局に接続される。
【０００４】
別の適用は、人口の少ない区域全体の屋外の狭い渓谷または道路をカバーする。これらの区域では、基地局を所望の受信可能場所に配置することは難しい。加えて、該場所の幾何学は、従来の基地局でカバーすることが妥当ではないかもしれない。渓谷は、いつでも数台の車しかない長く狭い区域でもよく、そこで該渓谷に沿って多くの基地局を配置することは、大量のキャパシテシィを無駄にするだろう。この問題の解決法は、該渓谷をカバーするための分散アンテナネットワークを採用し、そして相対的に配置しやすい場所に配置された基地局に該ネットワークを接続することである。このネットワークは、近い末端が基地局に接続され、遠い末端はアンテナに接続される、ポイントツーポイントリピータリンクを採用しうる。該リンクは、１の、または１グループのアンテナから基地局へ、専有のリンクで上りおよび下り信号を搬送する。
【０００５】
該リンクは、光ファイバまたはある形式のＲＦケーブルでもよく、一般的には、信号属性が該リンクによって劣化する場合であっても、信号強度が損失することなくその距離がカバーされるような増幅を含む。離れた場所に配置された電力増幅器が、下り信号を増幅するために使用される一方で、離れた場所にある低ノイズ増幅器は上り方向で、これも信号を増幅するために使用される。該リピータアーキテクチャは、受信可能領域を、財政的または物理的理由のいずれかから、複数の基地局を配置することが困難な区域に費用効果的に拡張させる。
【０００６】
受信可能領域を拡張するための一般的な実施は、基地局と、および遠隔アンテナ場所とのいくつかの光ファイバリンクとを使用することである。目的が受信可能領域であるときは、複数のアンテナを通して基地局から信号を分配するために、１つの基地局で複数のファイバリンクがしばしば使用される。そのような実施は、図３に示されている。複数のリピータ間で信号を分割するための電力コンバイナ／ディバイダを用いて、３のリピータが１の基地局に接続される。遠隔リピータは、光学的に基地局ユニットにリンクされる。ダウンリンクでは、基地局伝送信号は、様々なリピータをカバーするために分割され、アップリンクでは、これら複数のリピータレシーバからの信号は電力結合され、基地局受信ポートに接続される。それは、該基地局がダウンリンクで、その伝送信号を複数のトランスミッタへと分配し、アップリンクで、複数のレシーバから電力結合された信号を受信していることを意味する。この構成は、１の基地局に、分散ネットワークを通して従来の基地局によっては容易にカバーされない大きな区域をカバーさせる。
【０００７】
単一のＲＸ受信ポートまたはＴＸ／ＲＸ双方向送信／受信ポートに加え、多くの基地局は付加的なダイバーシティ受信ポートを所有する。従来の基地局においては、この付加的ポートは、図４に示されているように、様々な受信アンテナに接続される。ダイバーシティ受信ポートは、２の空間的に多様な受信アンテナが使用されるようにし、それらは典型的には少なくとも（受信波長）／２で分割される。ダイバーシティ受信は、アップリンク受信を傷つけるレイリーフェージング（Raleigh Fading）の可能性を低減する。レイリーフェージングにおいては、移動体トランスミッタからＢＴＳアンテナへの複数の信号パスは、マルチパス信号追加から受信された信号の強度における劇的な発振を生じさせる。レイリーフェージングが１のＲＸアンテナに劇的な信号低減を作り出す場合、同時に、空間的に分割されたＲＸアンテナに深いフェージングを作り出す可能性はあまりない。このように、空間受信ダイバーシティは、レイリーフェージングに対抗する。これらの深いフェージングはセルラーアップリンク受信の大きな問題である。２の受信ポートは、別個の復調受信パスを有することができ、その場合、２の復調信号が生成され、また結合されうる。この結果、レイリーフェージングへのより大きな耐性に加えて、ＳＮＲにおける３デシベルまでの増加を生じうる。受信ダイバーシティは、より単純な方法、たとえばより大きな信号を選択するだけでも実施されることができ、その場合、ＳＮＲ増加は実現しない。ダイバーシティ概念は、フェージングに対するより大きな耐性のために、２より多くのブランチへと拡張されうる。
【０００８】
低減した、および／または最小のレイリーフェージングで基地局と結合した分散ネットワークに対する必要性がある。さらに、基地局に改善された上り信号を送る分散ネットワークに対する必要性もある。さらに、アップリンクノイズフロアにおける減少を有する分散ネットワークに対する別の必要性もある。
【０００９】
（発明の開示）
したがって、本発明の目的は、基地局を遠隔アンテナに接続し、および複数の伝送パスを供給する少なくとも１部分を伴う複数のリンクを有する分散ネットワーク、およびその使用法を供給することである。
【００１０】
本発明の別の目的は、基地局を遠隔アンテナに接続し、複数の光波長多重化を採用することによって複数の伝送パスを供給する少なくとも１のリンクを伴う複数のリンクを有する分散光ネットワーク、およびその使用法を供給することである。
【００１１】
本発明のさらに別の目的は、基地局を遠隔アンテナに接続し、およびネットワークを介して交換され、デジタルで表現されるセルラー信号を伴う複数のリンクを有する分散ネットワーク、およびその使用法を供給することである。
【００１２】
本発明の別の目的は、基地局を遠隔アンテナに接続し、および複数の光ファイバストランドを採用することによって複数の伝送パスを供給する少なくとも１のリンクを伴う複数のリンクを有する分散光ネットワーク、およびその使用法を供給することである。
【００１３】
本発明のさらなる目的は、基地局を遠隔アンテナに接続し、および少なくとも１の基地局またはアンテナ場所が地理的にネットワークから離れており、かつ自由空間リンクで該ネットワークに接続されている分散ネットワーク、およびその使用法を供給することである。
【００１４】
本発明の別の目的は、基地局を遠隔アンテナに接続し、かつ異なるセルラーオペレータの間で共有される複数の伝送パスを有する分散ネットワーク、およびその使用法を供給することである。
【００１５】
本発明の別の目的は、基地局を遠隔アンテナに接続し、中心的な場所に一緒に配置された基地局と、およびセルラー受信可能領域を供給するために地理的区域にわたって配分される遠隔アンテナとを有する分散ネットワーク、およびその使用法を供給することである。
【００１６】
本発明の目的は、ダイバーシティ受信を利用する分散アンテナシステム、およびその使用法を供給することである。
【００１７】
本発明の別の目的は、アップリンク信号で改善がある分散アンテナシステム、およびその使用法を供給することである。
【００１８】
本発明のさらなる目的は、アップリンクノイズフロアにおける減少を有する分散アンテナシステム、およびその使用法を供給することである。
【００１９】
本発明のさらに別の目的は、複数の遠隔リピータユニットおよび第１ならびに第二のグループに分割されるそれらの対応するアンテナを有する分散アンテナシステムと、その使用法を供給することであり、両方のグループの各ユニットは、１のダウンリンク信号に接続され、および第１のグループのユニットは第１の受信または送信／受信ポートに接続され、および第二のグループのユニットは第二のダイバーシティ受信ポートに接続されている。
【００２０】
本発明のこれらの、および他の目的は、該ネットワークを介して複数の基地局にＲＦ接続された、または光学的に接続されるネットワークにおいて達成される。該基地局は、セルラー伝送を供給するように構成される。該複数の基地局の少なくとも一部は共通の場所にあり、および該アンテナの少なくとも一部は地理的に分散している。複数のリンクが、該複数のアンテナと該複数の基地局を接続する。少なくとも１のリンクが、少なくとも該アンテナの一部と該基地局の少なくとも一部の間に多重伝送パスを供給する。
【００２１】
本発明の別の実施態様において、ネットワークは、該ネットワークを介して複数の基地局と光学的に接続された、またはＲＦ接続された複数のアンテナを含む。該基地局は、セルラー通信を供給するように構成される。複数のリンクが、該複数のアンテナと該複数の基地局を接続する。少なくとも１のリンクが、該アンテナの少なくとも一部と該基地局の少なくとも一部との間に多重伝送パスを供給する。少なくとも１のリンクは、異なる伝送パスで少なくとも２のオペレータによって共有される。
【００２２】
本発明の別の実施態様において、ネットワークは、該ネットワークを介して複数の基地局に接続された複数のアンテナを含む。該基地局は、セルラー信号を表す伝送を供給するように構成される。複数のリンクが、該複数のアンテナと該複数の基地局を接続する。少なくとも１のリンクが、該アンテナの少なくとも一部と該基地局の少なくとも一部との間に多重伝送パスを供給する。該複数の基地局およびアンテナの少なくとも一部が、異なるオペレータに属する。
【００２３】
本発明の別の実施態様において、ネットワークは、該ネットワークを介して複数の基地局に光学的に接続された複数のアンテナを含む。該基地局は、セルラー通信を供給するように構成される。複数の光ファイバリンクが、該複数のアンテナと該複数の基地局を接続する。少なくとも１のリンクが、該アンテナの少なくとも一部と該基地局の少なくとも一部との間に少なくとも２の光波長を介して多重伝送パスを供給する。異なるオペレータが、異なる光波長を採用する。
【００２４】
本発明の別の実施態様において、ネットワークは、該ネットワークを介して複数の基地局に光学的に接続された複数のアンテナを含む。該基地局は、セルラー通信を供給するように構成される。複数の光ファイバリンクは、該複数のアンテナと該複数の基地局を接続する。少なくとも１のリンクが、該アンテナの少なくとも一部と該基地局の少なくとも一部との間に多重伝送パスを供給する。該複数のリンクは、多重伝送パスを形成する複数のファイバストランドを伴う少なくとも１のファイバケーブルを含む。少なくとも１のリンクが、少なくとも２のオペレータによって共有される。
【００２５】
本発明の別の実施態様において、ネットワークは、該ネットワークを介して複数の基地局に光学的に接続され、またはＲＦ接続された複数のアンテナを含む。該アンテナおよび基地局は、セルラー信号を表すデジタル信号を送信および受信するように構成される。該デジタル信号は、該ネットワークを介して交換される。複数のリンクが、該複数のアンテナおよび該複数の基地局を接続する。少なくとも１のリンクが、該アンテナの少なくとも一部と該基地局の少なくとも一部との間に多重伝送パスを供給する。
【００２６】
本発明の別の実施態様において、ネットワークは複数の遠隔ユニットおよび複数の基地ユニットを含む。各遠隔ユニットは、基地局の機能の少なくとも一部を有する放射ユニットである。複数のリンクが、該複数の遠隔ユニットと該複数の基地ユニットを接続する。少なくとも１のリンクが、該複数の遠隔ユニットの少なくとも一部と該基地ユニットの少なくとも一部との間に多重伝送パスを供給する。
【００２７】
本発明の別の実施態様において、ネットワークは、該ネットワークを介して複数の基地局に光学的に接続された複数のアンテナを含む。該基地局は、セルラー通信を供給するように構成される。複数のリンクは、該複数のアンテナと該複数の基地局を接続する。少なくとも１のリンクが、該アンテナの少なくとも一部と該基地局の少なくとも一部との間に多重伝送パスを供給する。複数のリンクの少なくとも一部は、固定された光パスである。各固定光パスは、１またはそれ以上の基地局と１またはそれ以上のアンテナとの間の、該リンクを介したビットレートのそれよりもずっと遅い時間スケールでリルーティングされ、かつ仮想回路としてノードを互いに接続する、不動の光リンクである。
【００２８】
本発明の別の実施態様において、伝送方法は、複数のアンテナと複数の基地局とを接続する複数の光リンクを含むネットワークを供給する。多重伝送パスは、該アンテナの少なくとも一部と該基地局の少なくとも一部の間に光ＤＷＤＭを用いて少なくとも１のリンクを備える。信号は、多重伝送パスを介してデジタルコード化される。
【００２９】
本発明の別の実施態様において、伝送方法は、複数のアンテナを複数の基地局と接続する複数のリンクを伴うネットワークを供給する。多重伝送パスは、該アンテナの少なくとも一部と該基地局の少なくとも一部との間に供給される。信号は、多重伝送パスを介してデジタルコード化される。
【００３０】
本発明の別の実施態様において、ネットワークは、該ネットワークを介して複数の基地局に光学的に接続された複数のアンテナを含む。該基地局は、セルラー通信を供給するように構成される。複数の自由空間光リンクは、該複数のアンテナおよび該複数の基地局を接続する。少なくとも１のリンクが、該アンテナの少なくとも一部と該基地局の少なくとも一部との間に少なくとも２の光波長を介した多重伝送パスを供給する。
【００３１】
本発明の別の実施態様において、伝送方法は、複数のアンテナを複数の基地局と接続する複数の光リンクを伴うネットワークを供給する。多重伝送パスは、該アンテナの少なくとも一部と該基地局の少なくとも一部との間で光ＤＷＤＭを用いた該複数のリンクのうち、少なくとも１のリンクを備える。ＤＷＤＭ波長は、複数の基地局と複数のアンテナとの間で、ＲＦ信号を表すアナログ信号を搬送する。
【００３２】
本発明の別の実施態様において、伝送方法は、複数のアンテナを複数の基地局と接続する複数のリンクを伴うネットワーク供給する。少なくとも１の基地局またはアンテナ場所は、該ネットワークから地理的に離れており、自由空間リンクで該ネットワークに接続されている。多重伝送パスは、該基地局の少なくとも一部と該アンテナの少なくとも一部との間に供給される。
【００３３】
本発明の別の実施態様において、ネットワークは、複数の受信または送信／受信ポートを有する基地局から遠隔的に配置され、該基地局に接続されている複数のアンテナを含む。該複数のアンテナは、該複数の受信ポートと同じ数の複数のグループへと分割される。該複数のアンテナの各グループ分けからのアップリンク信号は、信号結合によって、該基地局の複数の受信ポートのうちの１に接続される。複数のリンクが、光学的に、または電気的に、複数の遠隔的に配置されたアンテナと複数の基地局とを結合する。
【００３４】
本発明の別の実施態様においては、ネットワークは、単一のＲＦ結合された信号を生成するために、アップリンクで少なくとも１のＲＦ信号コンバイナに光リンクによって結合された複数のアンテナを含む。ＲＦ結合信号は、複数の受信または送信／受信ポートを有する基地局に接続される。該複数のアンテナは、該複数の受信または送信／受信ポートと同じ数の複数のグループに分割される。該複数のアンテナの各グループ分けは、信号結合によって基地局の複数の受信または送信／受信ポートのうちの１に接続される。複数のリンクは、該複数のアンテナと該複数の基地局とを接続する。
【００３５】
本発明の別の実施態様において、ネットワークは、複数の受信または送信／受信ポートを有する基地局に光学的に接続された複数のアンテナを含む。該複数のアンテナは、該複数の受信または送信／受信ポートと同じ数の複数のグループに分割される。該複数のアンテナの各グループ分けからのアップリンク信号は、信号結合によって該基地局の複数の受信または送信／受信ポートのうちの１に接続される。複数のリンクは、該複数のアンテナと該複数の基地局とを接続する。受信可能区域はダウンリンク信号によって生成され、それはアップリンク信号によって生成される受信可能区域よりも小さい。該受信可能区域は、異なる受信ポートに接続された遠隔ノードが、重複するダウンリンクの受信可能区域よりも大きな、重複するアップリンク受信可能区域を有するように配列される。
【００３６】
本発明の別の実施態様において、ネットワークは、複数の遠隔リピータユニットと、および複数の受信または送信／受信ポートを有する基地局から遠隔的に配置され、かつ該基地局に接続されるそれらに対応するアンテナとを含む。該複数の遠隔リピータユニットおよびそれらに対応するアンテナは、該複数の受信ポートと同じ数の複数のグループに分割される。該複数の遠隔リピータユニットの各グループ分けからのアップリンク信号は、信号結合によって該基地局の複数の受信ポートのうちの１に接続される。複数のリンクが、該複数の遠隔的に配置された遠隔リピータユニットと、それらの対応するアンテナと、および該複数の基地局とを接続する。
【００３７】
（発明を実施するための最良の形態）
図５を参照すると、本発明の１の実施態様は、ネットワーク１０を介して複数の基地局１４に光学的に接続される複数のアンテナ１２を含むネットワーク１０である。基地局１４は、ワイヤレスセルラー通信を供給するように構成される。複数のリンク１６は、複数のアンテナ１２と複数の基地局１４を接続する。複数のリンク１６のうちの少なくとも１のリンク１８は、複数のアンテナ１２の少なくとも一部と複数の基地局１４の少なくとも一部との間に多重伝送パスを供給する。１の実施態様において、複数のアンテナ１２および基地局１４は、ネットワーク１０を形成するためにＲＦリンクを用いて接続される。ネットワーク１０などを用いて基地局から遠隔的にアンテナ１２ユニットを配置することによって、多くの効果が実現する。
【００３８】
複数のリンク１６は、周波数分割多重方式（ＦＤＭ）、時分割多重方式（ＴＤＭ）、などによって多重伝送パスを供給するように構成されうる。光学的に接続されたネットワークは、多重伝送パスに、波長分割多重方式（ＷＤＭ）および／またはファイバケーブルを含む多重ファイバストランドを供給するように構成されうる。これらの光学多重化技術の両方とも、異なる信号の間の電気的隔離を可能にするのは、光ファイバと多重化コンポーネントのみが共有される必要があり、電気コンポーネント、光トランスミッタ、または光レシーバは共有される必要がないからである。ＴＤＭとＦＤＭの両方とも、リンクを介した伝送パスの数を増加するために、ＷＤＭと結合されうる。リンク１６がＲＦマイクロ波リンクである場合、多重伝送パスは、様々なＲＦ周波数チャネルでもよい。
【００３９】
光ＷＤＭも、大変低いレイテンシで異なる信号を多重化することを可能にするのは、処理または変換操作を実行する必要がなく、低レイテンシ光配向コンポーネントは排他的に使用されうるからである。図６、７および８に示されているように、光多重化およびルーティングは、ＭＥＭＳスイッチ１８、アド／ドロップ・マルチプレクサ２０、光マルチプレクサ２４、等を含むがそれらに限定されない低レイテンシの受動または変換コンポーネントで実行されうる。高いレイテンシの光ルーティングコンポーネント、例えばＳＯＮＥＴルータ２２も、レイテンシバジェットが認容可能であれば、同様に使用されうる。ＦＤＭも低レイテンシを有するのは、ＲＦミキシングと結合が低レイテンシの操作であり、処理または変換が実行される必要がないからである。低レイテンシが本発明の望ましい特性であるのは、アンテナ１２と現在の基地局１４との間にネットワークを配置することは、該ネットワークがセルラーシステムの従来の“エアリンク”の一部であるために、ネットワーク１０に厳格なレイテンシ制限をかけるからである。該リンクのこのエレメントは、現代のセルラープロトコル標準、例えばＣＤＭＡおよびＧＳＭに厳格なレイテンシ制約を有する。しかしながら、他の基地局１４の実施態様は、それがワイヤレス通信での合計レイテンシのごく一部であるために、ネットワーク１０のこの“エアリンク”部分におけるより大きなレイテンシを補うことができる。そのような基地局によって、より柔軟なネットワーク化技術が採用されうる。
【００４０】
リンク１６のすべて、または一部は、伝送のための、図６に記載の光ＤＷＤＭ（高密度波長分割多重方式）を使用しうる。少なくとも１のリンク１６は、アンテナ１２の少なくとも一部と基地局１４の少なくとも一部との間に、デジタル伝送およびＤＷＤＭ多重化を採用した多重伝送パスを供給しうる。ＤＷＤＭリング状ネットワークは、保護機構も採用することができ、それが本発明の実施において重要となりうるのは、ファイバリンクが壊れる場合に、複数のセルラー設置場所が崩壊するからである。そのような保護は、破壊があった場合に、該リングに沿って反対方向に光信号をルーティングすることによって作動する。このルーティングは、破壊の検出時に、該リングに沿った伝送方向を変換することによって、または両方向にノード間で光信号を常に伝送し、ファイバ破壊の場合の冗長性のための２のパスを作ることによって達成されうる。
【００４１】
リンク１６のいくつか、またはすべては、伝送パスを作るためにＴＤＭ（時分割多重方式）を使用しうる。１の実施態様において、ＴＤＭはＳＯＮＥＴ  ＴＤＭ技術を採用する。１の実施態様においては、ＴＤＭはポイント・ツウ・ポイント方式で多重の別個のＲＦ信号を搬送するために、ネットワーク１０上で、あるノードから別のノードへ特別に採用される。ポイント・ツウ・ポイントＴＤＭリンクにおいて、いくつかの信号は、起点ノードで一緒に多重化され、多重化された信号はそれから終点ノードへと輸送され、それから多重信号が終点ノードにおいて逆多重化される。ポイント・ツウ・ポイントＴＤＭトポロジは、多重信号を一緒に多重化することを単純化するという効果を有し、低ビットレート信号を高いビットレートキャリアへ加えたり、落としたりするのとは対照的である。加えて、図１０に示されたように、ＴＤＭリンクは基地局１４の多重セクタを搬送しうる。さらに、ＴＤＭリンクは異なるオペレータからの多重信号を搬送することができ、ダイバーシティ信号を搬送することができ、およびバックホール信号を搬送するために使用されうる。
【００４２】
リンク１６のすべて、または一部は、特に固定光パスを用いて、ＳＯＮＥＴプロトコルを採用しうる。そのような実施態様において、ＳＯＮＥＴプロトコルは信号をコード化するために使用され、それからそれらは多重波長光ネットワーク１０において、固定光パスに沿って配向される。固定光パスは、該パスを介して採用される通信プロトコルのビットレートと比較してそれほど頻繁ではなくリルーティングされるパスである。これがルーティングを単純にするという効果を有するのは、波長のみがルーティングされる必要があるからである。より柔軟なネットワーク１０において、より複雑なＳＯＮＥＴルーティングが採用されることができ、例えば、リンク１６はＳＯＮＥＴリングへと多重化されうる。そのようなルーティング体系において、多重化は、光波長をルーティングするよりもむしろ、該リングのキャリアビットレートでビットをルーティングすることを伴う。
【００４３】
固定または変換光パス構成での様々な光波長は、他のプロトコルも採用しうる。１の実施態様において、リンク１６の少なくとも一部は、ファイバチャネル、ギガビットイーサネット、ＴＣＰ、ＡＴＭまたは他の通信プロトコルを採用する。１の実施態様において、少なくとも１の光波長は、ＯＡ＆Ｍ信号を搬送し、別の実施態様においては少なくとも１のＴＤＭチャネルがＯＡ＆Ｍ信号を搬送する。
【００４４】
全部のＳＯＮＥＴルーティングが、ネットワーク１０に対して使用されうる。そのような場合、柔軟性のある信号ルーティングで、低ビットレートセルラー信号が加えられ、より高いビットレートＳＯＮＥＴリンクから落とされる。ＳＯＮＥＴの低レイテンシ、ＴＤＭの機能、および光ネットワーク化実行のためのより広い適用可能性は、それをこの適用にとって有用なプロトコルにする。他の実施態様において、ＩＰルーティングが使用される。ルーティングプロトコルは、基地局１４と遠隔アンテナ１２ノードのグループの間でキャパシティを最適化するために必要な信号をルーティングするためのトラヒックデータと結合されうる。
【００４５】
前述されたように、ネットワーク１０は、光多重化を供給しうる。この実施態様において、複数のリンク１６は、複数の光ファイバリンクを含む。図１１に示されたように、少なくとも１のファイバケーブル２０は、多重伝送パスを形成する複数のファイバストランド２２とともに含まれうる。例えば、１９２カウントのファイバケーブルは１９２のファイバストランドのために使用されることができ、１９２の信号を、他の多重化方式はなくケーブル上で多重化させる。明確なことに、多重ケーブルが、多重ストランドと同じ方法で利用されうる。別の実施態様において、少なくとも１の光ファイバストランド２２は、多重伝送パスを形成する少なくとも２の光波長を伝送する。好ましくは、光ファイバストランド２２のすべては、１より多くの光波長を伝送する。１例として、６のストランドがそれぞれ３２の波長を搬送し、１９２の伝送パスを供給する。この先は、各パスはＴＤＭを採用して４の信号をそれに対して多重化させ、４×１９２＝７６８の伝送パスを供給する。
【００４６】
図１２を参照すると、別の実施態様において、複数のリンク１６は、複数の自由空間リンク２４である。そのようなリンクにおいて、１またはそれ以上の光波長は、自由空間を通して配向される。そのようなリンクは、ファイバが高価である、または入手できないような区域で採用することが有用である。複数のリンク１６は、光ファイバおよび自由空間光リンク２４の両方を含みうる。
【００４７】
複数のリンクの少なくとも一部は、複数の基地局１４の少なくとも一部にキャパシティの選択可能な割り当てを供給するように構成されうる。これは、制御変換システム２５で達成されうる。図９に示されたように、そのようなシステムはスイッチとして機能し、アンテナ１２からのＲＦトラヒックはそれに向けられ、それから必要に応じて基地局１４トランシーバへと経路を変更される。スイッチ２５は、ダウンリンクチャネルも取り、それらをアンテナ１２へ配分し戻す。スイッチ２５は必要に応じて、一グループの基地局トランシーバのチャネルキャパシティをアンテナ１２に動的に割り当てうる。キャパシティの再配向スイッチ２５は、同じ周波数が互いに隣接して使用されないように、ＲＦチャネル割り当てに合わせて調整されうる。該スイッチは、基地局トランシーバキャパシティに、アンテナ１２によってカバーされる地理的領域全体にサービス供給させる。
【００４８】
図１４を参照すると、共有された基地局トランシーバキャパシティの特殊な場合とは、これらの設置場所にあるアンテナ１２が、基地局１４のすべてのトランシーバキャパシティによってサービス供給されうるように、多重の存在する基地局１４設置場所を一緒に接続することである。大きな地理的区域をカバーするためのプールトランシーバキャパシティの統計値は、それらが個別に単一のアンテナに接続されるよりも少ない基地局１４を使用させる。加えて、該大規模地理的区域の中を移動する人口は、同じトランシーバプールによってカバーされ、それによってトランシーバの数を、地理的受信可能区域ではなく、人口に合わせた大きさにすることができる。これは、一定の地理的区域をカバーするために必要な基地局１４の数を低減する。図１５に記載された別の実施態様において、コントロールボックス２７は、アンテナ１２の各々、または一部に関して含まれることができ、および選択された基地局１４へのルーティングを供給することができる。コントロールボックス２７によるルーティングは、所望のスケジュールに従って実行されうる。例えば、スイッチは、通勤時間中にはより多くのチャネルを高速道路に割り当て、勤労時間中はより多くのチャネルを商業的オフィスパークに割り当てることができる。複数のリンク１６のうちの１、またはすべては、受動光素子２６を含みうる。適切な受動光素子２６は、ＯＡＤＭ、フィルタ、インターリーバ、マルチプレクサ、などを含むが、それらに限定されない。
【００４９】
複数のリンク１６のたった一部分のすべては、図１６に記載の１またはそれ以上の光増幅器２８を含みうる。光増幅器２８は、光信号を増幅する低レイテンシ装置であり、ファイバからの光損失および光コンポーネントの使用を克服する。そのような増幅器２８は、特に波長多重化で持続している光損失がある場合に、ＤＷＤＭ光ネットワーク化をより実行可能にする、波長のブロックを増幅する構成で市販されている。
【００５０】
ネットワーク１０を介して交換されるセルラー信号は、アナログ信号でもよく、デジタル化されてもよい。アナログ信号は一般的に、レーザまたは光モジュレータを、セルラーＲＦ信号で、またはこの信号の、周波数を変換したバージョンで変調することを伴う。そのような実行は、単純さという効果を有し、ＷＤＭ、一定のファイバケーブル２０での多重ファイバストランド２２、およびＦＤＭを利用することができる。しかしながら、そのような伝送に関して、リンク１６のチャネル属性、例えばノイズ係数およびスプリアスフリーダイナミックレンジは、直接信号属性に影響を与える。ＤＷＤＭネットワークは、線形および非線形クロストークに直面し、異なる波長キャリアの間に信号干渉を生じる。これは、アナログＲＦ伝送での問題を生じうる。デジタル信号は、アナログセルラー信号をデジタルコード化することによって生成される、ビットのストリームである。アナログセルラー信号は、通常は基地局または遠隔移動体ユニットによって送信され、または受信される信号である。よって、ＰＣＳ  ＤＣＭＡ信号は、“アナログセルラー信号”でありうる。該信号は、アナログセルラー標準を表すものであることを示唆する意図ではない。アナログセルラー信号のデジタル表示が十分な信号対ノイズ比で伝送される場合、リンク属性の影響を大幅には受けないだろう。さらに、これらのデジタル信号は、ビットエラーの可能性をさらに低減するために、様々な戦略、例えばコード化、パリティなどでデジタル式に保護されうる。デジタル信号を採用することによって、クロストークへの抵抗性において顕著な改善がある。こうして、ＤＷＤＭおよびデジタル伝送は、最大数のセルラー信号を搬送するために、ネットワーク１０を利用するための強力な組合せである。デジタル信号はさらに、デジタル通信設備および標準、例えばルータ、ＩＰおよびＳＯＮＥＴの使用に対して従順である。
【００５１】
１の実施態様において、波長キャリアは、複数の基地局１４とアンテナ１２との間のＲＦ信号を表すアナログ信号を搬送する。異なるキャリアが異なるセルラー信号を搬送する。別の実施態様において、波長キャリアは、複数の基地局１４とアンテナ１２との間のＲＦ信号を表すデジタル信号を搬送する。このデジタル化は、２の好ましい実施態様で実行されうる。
【００５２】
図１７に示されたように、デジタルトランシーバ３０は、基地局１４側では基地局１４とネットワーク１０との間に組み込まれ、アンテナ１２側ではアンテナ１２とネットワーク１０との間に組み込まれる。接続は、直接接続か、または１またはそれ以上のＲＦコンポーネント、例えば増幅器、減衰器、利得制御ブロック、などを通していてもよい。通常はこれら２のユニット間で交換されるアナログセルラー信号は、最初にデジタルトランシーバによってデジタル信号に変換され、それはそれからネットワーク１０を介して交換される。デジタルセルラー信号がネットワークの他方の端部で受信された後、それはアナログセルラー信号として、デジタルトランシーバによって再構築される。この信号は、アンテナ１２、または基地局１４へと伝送される前に、フィルタにかけられ、増幅され、減衰されたりしてもよい。
【００５３】
別の実施態様は、デジタルコンポーネントを、基地局１４ユニットおよびアンテナ１２ユニットに統合することであり、個別のデジタルトランシーバを使用することではない。これは、ワイヤレスチャネルまたは周波数帯域をデジタル化することを伴いうるが、より高度な実行は、信号そのものがデジタルである点で、基地局１４ユニットとアンテナ１２ユニットの機能を分離することである。セルラーＲＦ信号がデジタル変調信号であり、音声チャネルがデジタル化され、かつ基地局１４はデジタル送信／受信アーキテクチャへと移動している場合、交換されうるいくつかの中間デジタル信号がある。アンテナ１２ユニットは、遠隔ユニットとして機能しているとき、従来の基地局１４の機能、例えばベースバンドコーディング、チャネルコーディング、変調／復調、チャネルフィルタリング、帯域フィルタリング、および通信受信などを供給しうる。
【００５４】
一般的な場合は、各アンテナ１２の場所は、単一のあるいは複数のワイヤレスチャネル、またはワイヤレススペクトルのセグメントを表すデジタルストリーム入力として、ダウンリンクセルラー信号を受信するように構成されうる。アンテナ１２はそれからＲＦ信号を再構築し、伝送する。加えて、少なくとも１の移動体ユニットからの、単一のあるいは複数のワイヤレスチャネルを表すアップリンクセルラー信号は、アンテナ１２においてオフエアで受信される。アンテナ１２のノードにおいて、アップリンクセルラー信号は、単一の、または複数のビットストリームに変換される。該ビットストリームは、ネットワーク１０を介して基地局１４ユニットへと伝送される。基地局１４ユニットは、このアップリンクデジタル信号を受信し、およびそれを処理する。加えて、それらはダウンリンクデジタル信号をネットワーク１０に伝送する。
【００５５】
デジタルトランシーバユニットが、アンテナ１２と基地局１４との間のＤ／ＡおよびＡ／Ｄ機能を実行するために使用されるとき、アナログ信号は、サンプリングおよびＡ／Ｄ変換の前に周波数を下げて変換されることができ、Ｄ／Ａ変換の後には周波数を上げて変換されうる。該デジタル信号は伝送前に直列にされ、伝送後に並列信号に変換され戻されうる。５００Ｍｂｐｓよりも大きいものを含むが、それに限定されない、高ビットレートは、改善されたセルラー性能のための高ダイナミックレンジリンクを作るために採用されうる。
【００５６】
図１８を参照すると、デジタルトランシーバが採用されるとき、基地局では、デジタルトランシーバ３０は、ワイヤレススペクトル帯域またはチャネルを表すダウンリンクアナログセルラー信号をデジタル化する。その後、デジタルトランシーバ３０はダウンリンクデジタルセルラー信号をネットワーク１０に送る。基地局でのアップリンクに関しては、デジタルトランシーバ３０はネットワークからのワイヤレススペクトル帯域またはチャネルを表すアップリンクデジタル信号を受信し、アナログセルラー信号を再構築し、それからそれらを基地局１４に送る。アンテナ１２において、アップリンクに関しては、移動体ユニットからアンテナ１２において受信されたアナログセルラー信号はデジタル信号に変換され、ネットワーク１０へと伝送される。ダウンリンクデジタル信号は、アンテナ１２においてデジタルトランシーバによって受信され、それからワイヤレススペクトル帯域またはチャネルを表すアナログセルラー信号に変換して戻され、アンテナ１２へと送られる。
【００５７】
様々な実施態様において、ネットワーク１０は異なるレイアウトを有しうる。１の実施態様においては、複数のリンク１６の少なくとも一部は固定光パスである。そのようなパスは、１またはそれ以上の遠隔ノードを１またはそれ以上の基地ノードに接続することを伴い、このパスを動的にリルーティングすることはめったにない。アンテナ１２と基地局１４との間の該光パスは、１対１の対応を有することができ、１のアンテナ１２ノードおよび１の基地局１４ユニットに接続し、または代替的には、１またはそれ以上のアンテナ１２が、非１対１の実施態様で、１またはそれ以上の基地局１４に接続されうる。別の実施態様において、ネットワーク１０の伝送パスは、１または複数の基地局１４と１または複数のアンテナ１２との間を柔軟にルーティングされるダイナミックルータブル光パスでもよい。
【００５８】
図１９に示されているように、ネットワーク１０は、ハブアンドスポークネットワーク３２として構成されうる。この実施態様において、複数の基地局１４は、共通ノード３４に配置され、および複数のアンテナ１２は異なる遠隔ノードに配置され、一般的にはネットワーク３２上に３６で示されている。アップリンクおよびダウンリンクの光接続は、共通ノード３４と遠隔ノード３６とを接続するスポーク３８である。ネットワーク３２は、セグメントまたはリングにレイアウトされている１またはそれ以上のリンク１６によって接続される基地局１４および／またはアンテナ１２を含む少なくとも一組のノード４０も含みうる。セグメントでもリングでも、好ましい実施例においては、アップリンクおよびダウンリンクは、レイテンシを等しくするために反対の方向に伝送されるべきであり、それはセルラー通信においては重要である。
【００５９】
１の実施態様において、図２０に記載のとおり、少なくとも２の基地局１４が共通の場所に配置され、およびアンテナ１２は地理的に分散される。適切な共通場所は、ネットワーク１０に接続された建物の中の、環境的に制御された部屋を含むが、それに限定されない。アンテナ１２は、高い不動産費用を有し、および／または共通場所よりも利用可能な設置面積が少ないかもしれないが、ネットワーク１０に接続されうる所望の受信可能範囲を供給する区域に配置される。
【００６０】
様々な実施態様において、複数のリンク１６の少なくとも１は、少なくとも２のオペレータによって共有されうる。該オペレータは、ワイヤレスオペレータ、同じセルラーオペレータによって使用される異なるスペクトル帯域、異なるエンティティでもよい。この異なるオペレータは、光ネットワークを用いるときに電気コンポーネントを共有する必要がない。異なるオペレータは、詳しく前述された多重化方法のいずれかを用いてネットワークへと多重化されうる。好ましい実施例において、異なるオペレータは、異なる光ファイバストランド、または同じファイバストランドでの異なる光波長を使用しうる。別の好ましい実施例において、異なるオペレータは、自由空間リンクで異なる波長を採用しうる。同じネットワーク１０の上で複数のオペレータを光学的に多重化することによって、オペレータは、それらの電気的隔離要件を妥協することなく、ネットワーク１０を構築し、獲得し、および維持する費用を共有しうる。１の実施態様において、ネットワーク１０は、異なるオペレータに関して存在する基地局１４の設置場所を一緒に接続するために使用され、および１のオペレータからすべての他のオペレータへ、受信可能範囲を拡張するために使用されうる。
【００６１】
例えば、図２１に示されているように、設置場所ＡのオペレータＡによって構築される設置場所は、設置場所ＢのオペレータＢによって構築される設置場所に接続される。Ａのためのアンテナ１２は、設置場所Ｂに配置され、設置場所ＡのオペレータＡのために基地局１４に接続され、およびオペレータＢのためのアンテナ１２は設置場所Ａに配置され、設置場所ＢのオペレータＢのための基地局１４に接続される。
【００６２】
様々な実施態様において、リンク１６は、少なくとも１の光キャリアが、基地局１４からスイッチ（例えばＭＴＳＯ）またはブリッジネットワークへ、少なくとも１のバックホール信号を搬送することを定める。リンク１６がＲＦリンクであるＲＦネットワークにおいては、リンク１６は、少なくとも１のＲＦキャリアが、基地局１４から１のスイッチ（例えばＭＴＳＯ）またはブリッジネットワークのうちの１に少なくとも１のバックホール信号を搬送することを定めるように構成されうる。
【００６３】
図２２を参照すると、ネットワーク１０は、ＭＴＳＯを含むがそれには限定されないスイッチ４２に直接接続する光ネットワークでもよい。いくつかの基地局からの多重バックホール信号は、１のより高いビットレートのバックホール信号に統合されうる。これによって、ネットワーク１０の費用は、バックホール信号でも同様に共有されることができ、また高い帯域幅バックホールが実行されるようにし、それはビット当たりの費用が安い。バックホール信号は、デジタルｔ−キャリア、ＳＯＮＥＴ信号、などでよい。ネットワーク１０をバックホール信号と共有する非バックホールＲＦ信号は、デジタルバックホール信号とのクロストークの影響を最小限にするために、デジタルで表示されうる。非バックホールＲＦ信号は、デジタルバックホール信号とのクロストークの影響を最小限にするために、バックホール信号からの大きな波長分離を有しうる。
【００６４】
いくつかのアンテナ１２または基地局１４の場所が、ネットワーク、特に光ファイバネットワークに接続しにくいのは、該設置場所へのファイバが存在しないかもしれないからである。本発明のある実施態様において、そのような場所は、自由空間リンク、自由空間光リンク１６か、またはマイクロ波リンク１６でネットワーク１０に接続されうる。このリンク１６は、アナログでもデジタルでもよく、デジタルは専有の方法で、またはＴキャリアまたはＳＯＮＥＴリンクでフォーマットされうる。
【００６５】
本発明の別の実施態様において、図２３に示されたように、分散アンテナシステム１１０は、ダイバーシティ受信を利用しており、および１またはそれ以上の基地局１１２を有する。各基地局１１２は、多重遠隔リピータユニット１１１およびそれらの対応するアンテナ１１３に接続され、結合されたアセンブリはオブジェクト１１４である。結合したアセンブリ１１４は、１よりも多いアンテナ１１３を有しうることが理解される。ダウンリンクＲＦ信号は、多重信号に電力分割され、それから個別の遠隔リピータユニット１１１とそれらの対応するアンテナ１１３へと配分される。多重遠隔ユニット１１４からのアップリンクＲＦ信号は、電力結合される。遠隔ユニット１１４は、各基地局１１２に関して、２またはそれ以上のグループ１１６および１１８に分割される。各基地局１１２は、片方向の受信ポート１１９または双方向の送信／受信ポート１２０を有する。それは、１またはそれ以上のダイバーシティ受信ポート１２２も有する。両方のグループ１１６および１１８における各遠隔リピータユニット１１２は、片方向の送信ポート１２１か、双方向の送信／受信ポート１２０のいずれか、１のダウンリンクポートに接続される。しかしながら、グループ１１６または１１８のうちの１のみが、アップリンク受信ポート１１９または送信／受信ポート１２０に接続され、他方のグループ１１６または１１８は、ダイバーシティ受信ポート１２２に接続される。このグループ分けは、１より多いダイバーシティ受信ポート１２２に拡張されうることが理解される。遠隔リピータユニットアセンブリ１１４の、グループ１１６および１１８への分割および配置は、ダイバーシティ受信の潜在能力を最大限にするために選択される。遠隔リピータユニットアセンブリ１１４のグループ分けの数は、基地局１１２における受信ポート、片方向の受信ポート１１９か、送信／受信ポート１２０のいずれか、それからダイバーシティ受信ポートまたは複数の該ポート１２２の合計数に等しい数である。
【００６６】
この実施態様は、屋内適用、線形および非線形配列でのアンテナ１１３の分配などを含むがそれらに限定されない、あらゆる分散アンテナシステムで利用されうる。限定ではなく、説明の目的で、線形受信可能区域、例えば道路は、それらの対応するアンテナ１１３、ポールに配置された結合アセンブリ１１４を伴う一連の遠隔リピータユニット１１１によって、ポールの場所およびアンテナ１１３の受信可能区域によって支配される間隔でカバーされうる。セグメントに沿ったすべてのポールは、同じ基地局１１２に接続される。
【００６７】
図２４に示されたとおり、交互のポールにある各遠隔リピータユニットレシーバ１２４は、２のグループ１１６または１１８のうちの１に配置される。各グループ１１６および１１８は電力結合され、異なる受信ポートに接続される。１のグループは、片方向の受信ポート１１９または送信／受信ポート１２０へと接続され、そのうちの１が一定の基地局１１２に存在する。他方のグループは、ダイバーシティ受信ポート１２２に接続される。アップリンク信号を伝送するポールの間の移動体トランスミッタ１２３は、両方のポールによって受信されるその信号を有し、基地局１１２において受信／ダイバーシティ受信によって正しく区別される。これは、より多くの受信または送信／受信ポートが利用可能である場合に、２より多いグループに拡張されうる。分配された受信可能範囲が線形に配列されていないとき、互いに隣接している受信可能場所は、２またはそれ以上の異なるグループ１１６および１１８に配置される。好ましくは、受信可能区域は、一定の場所からの移動体伝送が、２の異なる受信ポートによって、１は受信ポート１１９または送信／受信ポート１２０によって、他方はダイバーシティ受信ポート１２２によって受信される可能性を高めるために、グループへと配列される。よって、グループ１１６および１１８のメンバは、できるだけ、地理的に隣接する受信可能区域が異なるグループに配置されるように選択される。グループ１１６および１１８はそれから接続され、結合される。１つは、基地局構成によって受信ポート１１９または送信／受信ポート１１２へ入り、他方はダイバーシティ受信ポート１２２に入る。
【００６８】
本発明のこの実施態様において、レイリーフェージングの影響は著しく低減する。レイリーフェージングは、信号が移動体トランスミッタ１２３から空気中を通ってアンテナ１１３へ、または分散アンテナシステムにおいて移動すると、多重アンテナ１１３からの信号の組合せによって生じうるマルチパスから生じうる。本発明のこの実施態様は、２の異なるレシーバで２の個別の受信信号を供給し、また２の隣接するポールは異なる受信パスを有するので、両方のアンテナ１１３の場所においてナルが生じにくい。限定ではなく、説明のために、〜３ｄＢのＳＮＲが、この実施態様の多重信号パス受信から得られうる。
【００６９】
この実施態様の別の利益は、アップリンクで電力結合される遠隔リピータユニット１１４の数が、片方向の受信ポート１１９または送信／受信ポート１２０、および１またはそれ以上のダイバーシティ受信ポート１２２を含む受信ポートの合計数によって割られることである。この合計数は典型的には２である。電力結合は信号を低減する一方で、電力結合される信号の数に比例する同じノイズを維持するので、すべての分散遠隔受信リピータユニット１１４を単一の受信ポート１１９または単一の送信／受信ポート１２０に結合するのに対して、アップリンクの分散遠隔リピータユニット１１４の半分を電力結合すると、２の受信ポートを用いてアップリンク信号対ノイズ比に３ｄＢの改善を生じる。より多くの受信ポートによってより大きな改善が生じる。これは特に、ファイバリンクノイズの数字がリンクをアップリンクに限定しうるので、ファイバフェドシステムに適している。この種の基地局リンクを実施するために使用されるリピータシステムにおいて、受信可能区域を意味するリンクバジェットは、しばしばダウンリンク伝送電力ではなく、アップリンクノイズ数によって決められうる。しかしながら、あらゆる電力結合システムにおいて、この改善は実現されうる。アップリンクを複数のグループ１１６および１１８に分割することによって、およびそれらを片方向の受信ポート１１９または双方向の送信／受信ポート１２０およびダイバーシティ受信ポート１２２へと結合することによって、システム１１０の性能は改善される。
【００７０】
アップリンクレイリーフェージングにおける改善、アップリンク信号における潜在的改善、およびアップリンクノイズフロアにおける減少は、図２５に説明されている。図２５に示されるように、受信信号はもはや、両方の遠隔リピータユニット１１４からの受信信号の電力結合された和であることから強力なレイリーフェージングに直面せず、およびポール間の中心では３ｄＢ高く、ＢＴＳは各受信ポートに関して多重受信パスを持っていると仮定するので、それは変調された信号を結合しうる。加えて、ノイズフロアは、電力結合されるポールの数が２で割られると、３ｄＢ下がる。
【００７１】
一定の環境において、受信可能領域状況は、受信可能区域がアップリンクに限定されるのではなく、ダウンリンクに限定される分散アンテナシステムに存在しうる。そのような状況は図２６に示されている。そのような区域では、アップリンク受信可能区域１２４は、ダウンリンク受信可能区域１２６よりも大きい。様々な実施態様において、本発明は、ダウンリンク受信可能区域が重複しない場合でも、アップリンク受信可能区域が重複するように、遠隔リピータユニット１１１をそれらの対応するアンテナ１１３とともに配置する。多重遠隔リピータユニット１１４は、同じアップリンク信号を受信することができるので、それらは本発明の利用するために基地局１１２に接続されうる。２の受信ポートがあると、遠隔リピータユニット１１４は、ダイバーシティアップリンク受信の機会を最大限にするために２の異なるグループ１１６および１１８に配置され、それから１のグループが電力結合され、片方向の受信ポート１１９または双方向の送信／受信ポート１２０へと接続され、そして他方のグループは、電力結合され、ダイバーシティ受信ポート１２２に接続される。これは、基地局１１２が有する合計受信ポートと同じ数のグループに拡張されうる。
【００７２】
本発明の好ましい実施態様の前述の説明は、図示および説明の目的で示されてきた。包括的になるようには意図しておらず、または本発明を開示された詳細な形式に限定する意図ではない。自明的に、多くの変更および変形が当業者には明らかである。本発明の範囲は、特許請求の範囲およびその同等物によって定義されることを意図する。
【図面の簡単な説明】
【００７３】
【図１】図１は、一組のアンテナを屋上に伴い、およびセルラーネットワークにバックホールされる基地局無線／トランシーバユニットに、短いＲＦケーブルを介して接続された、従来技術のセルラー配置場所を示す。
【図２】図２は、受信可能範囲を供給するために、地理的区域全体の戦略的地点に配置された基地局／アンテナ配置場所を伴い、各配置場所は、１またはそれ以上のＴ−１デジタルリンクを介してセルラーネットワークにバックホールされる従来技術のセルラーネットワークの配備の概略図である。
【図３】図３は、１またはそれ以上のファイバリンクを介して基地局に光学的に接続された３の遠隔リピータを含む従来技術の分散リピータアーキテクチャの概略図である。
【図４】図４は、ダイバーシティ受信、ダイプレクサと結合され、それから第１のアンテナに接続される基地局の送信および受信ポートを伴い、第二のアンテナはダイバーシティ受信のために使用される従来技術の基地局の概略図である。
【図５】図５は、複数のアンテナと基地局を伴い、該アンテナの少なくとも一部と該基地局の少なくとも一部との間に多重伝送パスを有する分散基地局ネットワークの１の実施態様の概略図である。
【図６】図６は、図１に記載のネットワークとともに使用されうるＭＥＭｓスイッチおよびアド／ドロップマルチプレクサの概略図である。
【図７】図７は、図１に記載のネットワークとともに使用されうるＳＯＮＥＴルータの概略図である。
【図８】図８は、図１に記載のネットワークとともに使用されうる光マルチプレクサ／デマルチプレクサの概略図である。
【図９】図９は、図１に記載のネットワークのＤＷＤＭ伝送実施態様の概略図である。
【図１０】図１０は、図1に記載のネットワークのポイント・ツー・ポイントＴＤＭトポロジ実施態様の概略図である。
【図１１】図１１は、図１に記載のネットワークの多重伝送パスを形成する複数のファイバストランドを伴う１のファイバケーブル２０の概略図である。
【図１２】図１２は、自由空間光リンクを使用する図５に記載のネットワークの概略図である。
【図１３】図１３は、リンクの少なくとも一部が、基地局の少なくともいくつかへ、キャパシティの選択可能な割り当てを供給するように構成されている図５に記載のネットワークの概略図である。
【図１４】図１４は、いっしょに接続されている複数の基地局設置場所を伴う、図５に記載のネットワークの概略図である。
【図１５】図１５は、選択された基地局へのルーティングを供給するために、アンテナの少なくとも一部のためのコントロールボックスを含む、図５に記載のネットワークの概略図である。
【図１６】図１６は、リンクに含まれる増幅器を伴う、図５に記載のネットワークの概略図である。
【図１７】図１７は、基地局と基地局側のネットワークとの間に組み込まれたデジタルトランシーバと、アンテナとアンテナ側のネットワークとの間に組み込まれたデジタルトランシーバとを含む、図５に記載のネットワークの概略図である。
【図１８】図１８は、下りおよびアップリンク信号の伝送を示す、図５に記載のネットワークの概略図である。
【図１９】図１９は、図５に記載のハブ・アンド・スポーク・ネットワークの実施態様の概略図である。
【図２０】図２０は、共通の場所に配置された少なくとも２の基地局と、および地理的に分散されたアンテナとを伴う図５に記載のネットワークの概略図である。
【図２１】図２１は、異なるオペレータに関して一緒に接続され、各オペレータから他のオペレータへ受信可能範囲を拡張するために使用される基地局を伴う、図５に記載のネットワークの概略図である。
【図２２】図２２は、ＭＴＳＯに直接接続する図５に記載のネットワークの概略図である。
【図２３】図２３は、遠隔リピートユニットと、道路上にあるポールに／の近くに配置され、単一の基地局に接続され、そして異なる受信ポートに接続されている２の交互のグループに分割される、それらの対応するアンテナを伴う本発明の１の実施態様の概略図である。
【図２４】図２４は、遠隔リピートユニットと、道路上にあるポールに／の近くに配置され、単一の基地局に接続され、そして異なる受信ポートに接続されている２の交互のグループに分割される、それらの対応するアンテナの別の実施態様の概略図である。
【図２５】図２５は、ダイバイーシティ受信が、多重アンテナアプリケーションにおいて採用されるときの、図２３および２４に記載の信号対雑音における改善を示す概略図である。
【図２６】図２６は、様々なアップリンク／ダウンリンク受信可能区域を持つ重複したアップリンクダイバーシティを示す概略図である。
【図１】
2004537888.tif 000003
【図２】
2004537888.tif 000004
【図３】
2004537888.tif 000005
【図４】
2004537888.tif 000006
【図５】
2004537888.tif 000007
【図６】
2004537888.tif 000008
【図７】
2004537888.tif 000009
【図８】
2004537888.tif 000010
【図９】
2004537888.tif 000011
【図１０】
2004537888.tif 000012
【図１１】
2004537888.tif 000013
【図１２】
2004537888.tif 000014
【図１３】
2004537888.tif 000015
【図１５】
2004537888.tif 000016
【図１７】
2004537888.tif 000017
【図１８】
2004537888.tif 000018
【図１９】
2004537888.tif 000019
【図２０】
2004537888.tif 000020
【図２１】
2004537888.tif 000021
【図２２】
2004537888.tif 000022
【図２３】
2004537888.tif 000023
【図２４】
2004537888.tif 000024
【図２５】
2004537888.tif 000025
【図２６】
2004537888.tif 000026
【国際公開パンフレット】
2004537888.tif 000027
2004537888.tif 000028
2004537888.tif 000029
2004537888.tif 000030
2004537888.tif 000031
2004537888.tif 000032
2004537888.tif 000033
2004537888.tif 000034
2004537888.tif 000035
2004537888.tif 000036
2004537888.tif 000037
2004537888.tif 000038
2004537888.tif 000039
2004537888.tif 000040
2004537888.tif 000041
2004537888.tif 000042
2004537888.tif 000043
2004537888.tif 000044
2004537888.tif 000045
2004537888.tif 000046
2004537888.tif 000047
2004537888.tif 000048
2004537888.tif 000049
2004537888.tif 000050
2004537888.tif 000051
2004537888.tif 000052
2004537888.tif 000053
2004537888.tif 000054
2004537888.tif 000055
2004537888.tif 000056
2004537888.tif 000057
2004537888.tif 000058
2004537888.tif 000059
2004537888.tif 000060
2004537888.tif 000061
2004537888.tif 000062
2004537888.tif 000063
2004537888.tif 000064
2004537888.tif 000065
2004537888.tif 000066
2004537888.tif 000067
2004537888.tif 000068
2004537888.tif 000069
2004537888.tif 000070
2004537888.tif 000071
2004537888.tif 000072
2004537888.tif 000073
2004537888.tif 000074
2004537888.tif 000075
2004537888.tif 000076
2004537888.tif 000077
2004537888.tif 000078
2004537888.tif 000079
2004537888.tif 000080
2004537888.tif 000081
2004537888.tif 000082
【国際調査報告】
2004537888.tif 000083
2004537888.tif 000084
2004537888.tif 000085